【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
第１の画像における関心領域を取得する取得手段と、
前記第１の画像と異なる第２の画像において、前記関心領域に対応する対応領域を導出する導出手段と、
前記対応領域の画素値を示す画素情報または前記対応領域に関連する領域の画素値を示す画素情報に基づいて、前記第２の画像の画素値を調整するための表示パラメータを設定するパラメータ設定手段と、
前記表示パラメータに基づいて前記第２の画像の表示画像を生成する生成手段と、
前記表示画像の表示制御を行う表示制御手段と、
を有することを特徴とする画像処理装置。
【請求項２】
前記パラメータ設定手段は、さらに前記取得手段により取得された前記関心領域の画素情報にも基づいて、前記表示パラメータを設定することを特徴とする請求項１に記載の画像処理装置。
【請求項３】
前記取得手段は、前記第１の画像において複数の関心領域を取得することを特徴とする請求項１または２に記載の画像処理装置。
【請求項４】
前記取得手段は、１つの関心領域の中から更に１つ以上の関心領域を取得することを特徴とする請求項３に記載の画像処理装置。
【請求項５】
前記導出手段は、前記複数の関心領域のうちのいずれかの関心領域を抽出し、該抽出した関心領域に対応する対応領域を導出することを特徴とする請求項３または４に記載の画像処理装置。
【請求項６】
前記導出手段は、前記第１の画像に対する所見情報に基づいて、前記複数の関心領域うちのいずれかの関心領域を抽出することを特徴とする請求項５に記載の画像処理装置。
【請求項７】
前記第２の画像において、前記対応領域に関連する注目領域を設定する注目領域設定手段をさらに有し、
前記パラメータ設定手段は、前記注目領域に基づいて、前記表示パラメータを設定することを特徴とする請求項１から６のいずれか１項に記載の画像処理装置。
【請求項８】
前記注目領域は、前記対応領域の周辺の領域であることを特徴とする請求項７に記載の画像処理装置。
【請求項９】
前記パラメータ設定手段は、前記対応領域と前記注目領域の画素情報に基づいて、前記表示パラメータを設定することを特徴とする請求項７または８に記載の画像処理装置。
【請求項１０】
前記パラメータ設定手段は、前記注目領域と該注目領域以外の領域とで前記表示パラメータを異なるように設定することを特徴とする請求項７から９のいずれか１項に記載の画像処理装置。
【請求項１１】
前記パラメータ設定手段は、前記注目領域のコントラストが、該注目領域以外の領域より高くなるように前記表示パラメータを設定することを特徴とする請求項７から１０のいずれか１項に記載の画像処理装置。
【請求項１２】
前記第１の画像と前記第２の画像との位置合わせ処理を行う位置合わせ手段をさらに有し、
前記導出手段は、位置合わせされた前記第２の画像において、前記対応領域を導出することを特徴とする請求項１から１１のいずれか１項に記載の画像処理装置。
【請求項１３】
前記パラメータ設定手段は、ウィンドウ値とウィンドウ幅を含むことを特徴とする請求項１から１２のいずれか１項に記載の画像処理装置。
【請求項１４】
第１の画像における関心領域を取得する取得工程と、
前記第１の画像と異なる第２の画像において、前記関心領域に対応する対応領域を導出する導出工程と、
前記対応領域の画素値を示す画素情報または前記対応領域に関連する領域の画素値を示す画素情報に基づいて、前記第２の画像の画素値を調整するための表示パラメータを設定するパラメータ設定工程と、
前記表示パラメータに基づいて前記第２の画像の表示画像を生成する生成工程と、
前記表示画像の表示制御を行う表示制御工程と、
を有することを特徴とする画像処理方法。
【請求項１５】
請求項１乃至請求項１３のいずれか１項に記載の画像処理装置の各手段としてコンピュータを機能させるプログラム。
【請求項１６】
前記第１の画像は、被写体に対して撮像することにより取得され、前記第２の画像は、前記被写体に対して撮像することにより取得されることを特徴とする請求項１から１３のいずれか１項に記載の画像処理装置。
【請求項１７】
前記第１の画像は、被写体に対して第１のモダリティで撮像することにより取得され、前記第２の画像は、前記被写体に対して前記第１のモダリティと異なる第２のモダリティで撮像することにより取得されることを特徴とする請求項１から１３のいずれか１項に記載の画像処理装置。
【請求項１８】
前記第１の画像は、被写体に対して第１のモダリティで撮像することにより取得され、前記第２の画像は、前記被写体に対して前記第１のモダリティで撮像することにより取得されることを特徴とする請求項１から１３のいずれか１項に記載の画像処理装置。
【請求項１９】
第１の画像における関心領域を取得する取得手段と、
前記第１の画像と異なる第２の画像において、前記関心領域に対応する対応領域を導出する導出手段と、
前記対応領域の、画素値を示す画素情報または前記対応領域に関連する領域の、画素値を示す画素情報に基づいて、前記第２の画像の画素値を調整するための表示パラメータを設定するパラメータ設定手段と、
を有することを特徴とする画像処理装置。
【請求項２０】
前記パラメータ設定手段は、前記対応領域、または、前記対応領域に関連する前記領域における最大および最小の画素値に基づいて、前記表示パラメータを設定することを特徴とする請求項１から１３と１６から１９のいずれか１項に記載の画像処理装置。
【手続補正２】
【補正対象書類名】明細書
【補正対象項目名】０００７
【補正方法】変更
【補正の内容】
【０００７】
上記の目的を達成するための本発明の一様態による画像処理装置は、以下の構成を有する。すなわち、第１の画像における関心領域を取得する取得手段と、前記第１の画像と異なる第２の画像において、前記関心領域に対応する対応領域を導出する導出手段と、前記対応領域の画素値を示す画素情報または前記対応領域に関連する領域の画素値を示す画素情報に基づいて、前記第２の画像の画素値を調整するための表示パラメータを設定するパラメータ設定手段と、前記表示パラメータに基づいて前記第２の画像の表示画像を生成する生成手段と、前記表示画像の表示制御を行う表示制御手段と、を有する。
【手続補正３】
【補正対象書類名】明細書
【補正対象項目名】００２８
【補正方法】変更
【補正の内容】
【００２８】
例えば、予め定めた所見として、付随情報の中の所見情報に、「非浸潤性乳管癌（ＤＣＩＳ）」などの所見が含まれている場合には、注目領域設定部１４５は、対応領域の周辺領域を、注目すべき領域として設定する。これは、対応領域の周辺領域における血管や血流の状態が重要となるためである。具体的には、注目領域設定部１４５は、対応領域に膨張処理を施した後に、該対応領域を除外した領域を注目領域と設定する。あるいは、注目領域設定部１４５は、血管が多く存在する対応領域の短軸方向（乳管の走行に直交する方向）にのみ対応領域に膨張処理を施して、該対応領域を除外した領域を注目領域と設定してもよい。なお、このときの膨張量は、操作者が手作業によって設定できるようにしてもよい。もしくは、膨張させる領域を操作者が手作業で設定するようにしてもよい。
【手続補正４】
【補正対象書類名】明細書
【補正対象項目名】００４８
【補正方法】変更
【補正の内容】
【００４８】
（変形例２）
第１の画像と第２の画像が予め位置合わせされている（画像間に座標系の違いや変形状態の違いが無く、同じ座標は同じ場所を表すように予め画像が揃えられている）場合には、ステップＳ３０２０とステップＳ３０３０の処理を省略できる。例えば、超音波画像（超音波エコー画像）とＰＡＴ画像を同時撮像可能なハイブリッド装置で撮像した超音波画像とＰＡＴ画像を表示する場合がそれに相当する。この場合、超音波画像で得た病変を疑う領域（低エコー領域）を、そのままＰＡＴ画像における対応領域とすることができる。